(57)【要約】【課題】ユーザ毎に使用可能な機能を制限可能な制限モード時であっても、ユーザ毎にワンタッチ機能を有効に利用できるようにする。【解決手段】機能実行装置は、１つのワンタッチキーに対し、パブリックワンタッチ機能と、登録ユーザ毎の個別のパーソナルワンタッチ機能とを登録可能である。動作モードが制限モードに設定されているときに複数のワンタッチキーのいずれかが押下された場合、その押下されたワンタッチキーに対し、パブリックワンタッチ機能及びログインユーザのパーソナルワンタッチ機能が登録されている場合は、その登録されているパブリックワンタッチ機能及びログインユーザのパーソナルワンタッチ機能のいずれか一方を選択して実行させることができる。【選択図】図３
2018023032.tif 000002
【特許請求の範囲】
【請求項１】
表示部と、
複数のワンタッチキーを含む、入力操作を受け付け可能な入力部と、
複数の機能を実行可能な制御部と、
を備える機能実行装置であって、
当該機能実行装置の動作モードを、実行可能な機能に制限のない通常モード、及び、予め登録された少なくとも１つの登録ユーザのうち１つを有効ユーザとして設定可能であって前記有効ユーザとして設定されている前記登録ユーザに対して予め制限されている機能を使用できない制限モード、の何れかに設定可能に構成されており、
特定の機能を予め決められた特定の態様で実行させるよう構成されたワンタッチ機能を前記複数のワンタッチキーに対して個別に登録可能であって、１つの前記ワンタッチキーに対し、特定のパブリックワンタッチ機能、及び前記登録ユーザ毎の個別のワンタッチ機能であって対応する前記登録ユーザが前記制限モード時に実行可能な範囲内で前記特定の機能が設定され、前記制限モード時において対応する前記登録ユーザが前記有効ユーザに設定されている場合に実行可能なパーソナルワンタッチ機能、を登録可能に構成されており、
前記制御部は、
前記動作モードが前記制限モードに設定されているときに前記複数のワンタッチキーのいずれかに対する前記入力操作が受け付けられた場合であって、前記入力操作が受け付けられたワンタッチキーに対して、前記パブリックワンタッチ機能、及び前記有効ユーザとして設定されている前記登録ユーザに対応した前記パーソナルワンタッチ機能が登録されている場合、その登録されているパブリックワンタッチ機能及びパーソナルワンタッチ機能のいずれか一方を選択させるための機能選択画面を前記表示部に表示させる機能選択表示処理と、
前記機能選択表示処理による前記機能選択画面の表示後、前記いずれか一方を選択する選択操作が前記入力部を介して受け付けられた場合、その選択操作により選択されたワンタッチ機能を実行する選択実行処理と、
を実行する、機能実行装置。
【請求項２】
請求項１に記載の機能実行装置であって、
前記制御部は、
前記動作モードが前記制限モードに設定されているときに前記複数のワンタッチキーのいずれかに対する前記入力操作が受け付けられた場合であって、前記入力操作が受け付けられたワンタッチキーに対して、前記パブリックワンタッチ機能、及び前記有効ユーザとして設定されている前記登録ユーザに対応した前記パーソナルワンタッチ機能が登録されている場合、その登録されているパブリックワンタッチ機能が、前記有効ユーザとして設定されている前記登録ユーザが前記制限モード時に実行可能な機能であるか否か判断する複数登録時判断処理、
を実行し、
前記複数登録時判断処理によって前記パブリックワンタッチ機能が実行可能と判断された場合、前記機能選択表示処理を実行する、
機能実行装置。
【請求項３】
請求項２に記載の機能実行装置であって、
前記制御部は、
前記複数登録時判断処理によって前記パブリックワンタッチ機能が実行可能ではないと判断された場合、前記入力操作が受け付けられたワンタッチキーに登録されている、前記有効ユーザに設定されている前記登録ユーザに対応した前記パーソナルワンタッチ機能を実行するパーソナル実行処理、
を実行する、機能実行装置。
【請求項４】
請求項１〜請求項３の何れか１項に記載の機能実行装置であって、
前記制御部は、
前記動作モードが前記制限モードに設定されているときに前記複数のワンタッチキーのいずれかに対する前記入力操作が受け付けられた場合であって、前記入力操作が受け付けられたワンタッチキーに対して、前記有効ユーザに設定されている前記登録ユーザに対応した前記パーソナルワンタッチ機能が登録されていない場合、前記パブリックワンタッチ機能が登録されているか否か判断するパブリック判断処理と、
前記パブリック判断処理により前記パブリックワンタッチ機能が登録されていると判断されなかった場合、前記入力操作が受け付けられたワンタッチキーに対し、前記有効ユーザとして設定されている前記登録ユーザに対応した前記パーソナルワンタッチ機能を新規登録する新規登録処理と、
を実行する、機能実行装置。
【請求項５】
請求項４に記載の機能実行装置であって、
前記制御部は、
前記パブリック判断処理により前記パブリックワンタッチ機能が登録されていると判断された場合、その登録されているパブリックワンタッチ機能を実行させること、及び、前記入力操作が受け付けられたワンタッチキーに対して前記有効ユーザに設定されている前記登録ユーザに対応した前記パーソナルワンタッチ機能を新規登録すること、の何れか一方を選択させるための処理選択画面を前記表示部に表示させる処理選択表示処理と、
前記選択実行処理を第１の選択実行処理として、前記処理選択表示処理による前記処理選択画面の表示後、前記パブリックワンタッチ機能を実行させることを選択する選択操作が前記入力部を介して受け付けられた場合、前記パブリックワンタッチ機能を実行する第２の選択実行処理と、
を実行し、
前記処理選択表示処理による前記処理選択画面の表示後、前記パーソナルワンタッチ機能を新規登録することを選択する選択操作が前記入力部を介して受け付けられた場合、前記新規登録処理を実行する、機能実行装置。
【請求項６】
請求項５に記載の機能実行装置であって、
前記制御部は、
前記パブリック判断処理により前記パブリックワンタッチ機能が登録されていると判断された場合、その登録されているパブリックワンタッチ機能が、前記有効ユーザとして設定されている前記登録ユーザが前記制限モード時に実行可能な機能であるか否か判断する単登録時判断処理、
を実行し、
前記単登録時判断処理によって前記パブリックワンタッチ機能が実行可能ではないと判断された場合、前記新規登録処理を実行する、機能実行装置。
【請求項７】
請求項１〜請求項６の何れか１項に記載の機能実行装置であって、
前記制限モードにおいては、前記有効ユーザとして、前記登録ユーザとは別に、予め登録することを要しないパブリックユーザを設定可能であり、
前記パブリックユーザに対し、前記制限モードにおける実行可能な機能を予め制限可能に構成されており、
前記制御部は、
前記動作モードが前記制限モードに設定されていて且つ前記有効ユーザとして前記パブリックユーザが設定されているときに前記複数のワンタッチキーのいずれかに対する前記入力操作が受け付けられた場合であって、前記入力操作が受け付けられたワンタッチキーに対して前記パブリックワンタッチ機能が登録されている場合、そのパブリックワンタッチ機能が、前記パブリックユーザが前記制限モード時に実行可能な機能であるか否かを判断するパブリックユーザ判断処理と、
前記パブリックユーザ判断処理によって前記パブリックワンタッチ機能が実行可能と判断された場合、前記パブリックワンタッチ機能を実行するパブリック実行処理と、
を実行する、機能実行装置。
【請求項８】
表示部と、
複数のワンタッチキーを含む、入力操作を受け付け可能な入力部と、
複数の機能を実行可能な制御部と、
を備える機能実行装置における前記制御部が実行可能なプログラムが記憶された記憶媒体であって、
前記機能実行装置は、
当該機能実行装置の動作モードを、実行可能な機能に制限のない通常モード、及び、予め登録された少なくとも１つの登録ユーザのうち１つを有効ユーザとして設定可能であって前記有効ユーザとして設定されている前記登録ユーザに対して予め制限されている機能を使用できない制限モード、の何れかに設定可能であって、
特定の機能を予め決められた特定の態様で実行させるよう構成されたワンタッチ機能を前記複数のワンタッチキーに対して個別に登録可能であって、１つの前記ワンタッチキーに対し、特定のパブリックワンタッチ機能と、前記登録ユーザ毎の個別のワンタッチ機能であって対応する前記登録ユーザが前記制限モード時に実行可能な範囲内で前記特定の機能が設定され、前記制限モード時において対応する前記登録ユーザが前記有効ユーザに設定されている場合に実行可能なパーソナルワンタッチ機能と、を登録可能に構成されており、
前記プログラムは、前記制御部に、
前記動作モードが前記制限モードに設定されているときに前記複数のワンタッチキーのいずれかに対する前記入力操作が受け付けられた場合であって、前記入力操作が受け付けられたワンタッチキーに対して、前記パブリックワンタッチ機能、及び前記有効ユーザとして設定されている前記登録ユーザに対応した前記パーソナルワンタッチ機能が登録されている場合、その登録されているパブリックワンタッチ機能及びパーソナルワンタッチ機能のいずれか一方を選択させるための機能選択画面を前記表示部に表示させる機能選択表示処理と、
前記機能選択表示処理による前記機能選択画面の表示後、前記いずれか一方を選択する選択操作が前記入力部を介して受け付けられた場合、その選択操作により選択されたワンタッチ機能を実行する選択実行処理と、
を実行させるためのプログラムである、記憶媒体。
【発明の詳細な説明】
【技術分野】
【０００１】
本発明は、複数の機能を実行可能に構成された機能実行装置に関する。
【背景技術】
【０００２】
実行させたい機能を予めキーに登録しておき、そのキーを押すだけで登録されている機能を実行させることが可能なワンタッチ機能を備えた機能実行装置が知られている（例えば、特許文献１参照。）。
【０００３】
一方、機能実行装置として、動作モードを、ユーザ毎に個別に使用可能な機能を制限することが可能な制限モードに設定可能な制限機能を備えたものが知られている。
【先行技術文献】
【特許文献】
【０００４】
【特許文献１】特開２００６−１３９３４７号公報
【発明の概要】
【発明が解決しようとする課題】
【０００５】
ワンタッチ機能と制限機能の両方の機能が搭載された機能実行装置の場合、ユーザによっては、制限モード時にワンタッチ機能を有効活用できなくなる可能性がある。例えば、複数のキーの大半に機能Ａが登録されている場合、制限モード時に機能Ａの使用を制限されているユーザにとっては、制限モード時においては機能Ａが登録された大半のキーは利用できない。
【０００６】
本発明は、ワンタッチ機能と制限機能の両方の機能が搭載された機能実行装置において、制限モード時であってもユーザ毎にワンタッチ機能を有効に利用可能な技術を提供することを目的とする。
【課題を解決するための手段】
【０００７】
本発明の機能実行装置は、表示部と、入力操作を受け付け可能な入力部と、複数の機能を実行可能な制御部と、を備える。入力部は、複数のワンタッチキーを含む。
機能実行装置は、当該機能実行装置の動作モードを、通常モード及び制限モードの何れかに設定可能に構成されている。通常モードは、実行可能な機能に制限のない動作モードである。制限モードは、予め登録された少なくとも１つの登録ユーザのうち１つを有効ユーザとして設定可能であって、有効ユーザとして設定されている登録ユーザに対して予め制限されている機能を使用できない動作モードである。
【０００８】
また、機能実行装置は、特定の機能を予め決められた特定の態様で実行させるよう構成されたワンタッチ機能を複数のワンタッチキーに対して個別に登録可能であって、１つのワンタッチキーに対し、特定のパブリックワンタッチ機能、及び登録ユーザ毎の個別のパーソナルワンタッチ機能を登録可能に構成されている。パーソナルワンタッチ機能は、制限モード時において、対応する登録ユーザが有効ユーザに設定されている場合に実行可能なワンタッチ機能である。
【０００９】
制御部は、機能選択表示処理と、選択実行処理とを実行するように構成されている。機能選択表示処理は、動作モードが制限モードに設定されているときに複数のワンタッチキーのいずれかに対する入力操作が受け付けられた場合であって、その入力操作が受け付けられたワンタッチキーに対して、パブリックワンタッチ機能、及び有効ユーザとして設定されている前記登録ユーザに対応したパーソナルワンタッチ機能が登録されている場合、その登録されているパブリックワンタッチ機能及びパーソナルワンタッチ機能のいずれか一方を選択させるための機能選択画面を表示部に表示させる処理である。
【００１０】
選択実行処理は、機能選択表示処理による機能選択画面の表示後、選択対象のパブリックワンタッチ機能及びパーソナルワンタッチ機能のうちいずれか一方を選択する選択操作が入力部を介して受け付けられた場合、その選択操作により選択されたワンタッチ機能を実行する処理である。
【００１１】
このような構成の機能実行装置では、１つのワンタッチキーに対し、パブリックワンタッチ機能とパーソナルワンタッチ機能とを登録できる。しかも、パーソナルワンタッチ機能については、登録ユーザ毎に個別に登録できる。また、パーソナルワンタッチ機能は、登録ユーザが制限モード時において実行可能な機能の範囲内で登録される機能である。
【００１２】
そのため、ワンタッチキーに対してパーソナルワンタッチ機能を登録しておくことで、制限モード時であっても、少なくとも登録してあるパーソナルワンタッチ機能を実行させることができる。したがって、上記構成の機能実行装置によれば、制限モード時であっても各ワンタッチキーのワンタッチ機能をユーザ毎に有効に利用することができる。
【図面の簡単な説明】
【００１３】
【図１】実施形態の画像処理システムの構成を示すブロック図である。
【図２】実施形態の操作パネルの構成を示す説明図である。
【図３】実施形態の機能ロック管理テーブル及びワンタッチキー登録テーブルの一例を示す説明図である。
【図４】機能ロックモードオフ時の待機画面、及び機能ロックモードオン時であって且つユーザモードがパブリックモードの場合の待機画面からの画面遷移の一例を示す説明図である。
【図５】機能ロックモードオン時であって且つユーザモードがパーソナルモードの場合の待機画面からの画面遷移の一例を示す説明図である。
【図６】機能ロックモードオン時であって且つユーザモードがパーソナルモードの場合の待機画面からの画面遷移の他の一例を示す説明図である。
【図７】実施形態のワンタッチキー対応処理を示すフローチャートである。
【図８】図７におけるＳ１３０のパブリックモード時キー処理を示すフローチャートである。
【図９】図７におけるＳ１４０のパーソナルモード時キー処理の一部を示すフローチャートである。
【図１０】図７におけるＳ１４０のパーソナルモード時キー処理の他の一部（図９の続き）を示すフローチャートである。
【発明を実施するための形態】
【００１４】
以下、本発明の実施形態について、図面を参照しながら説明する。
［１．実施形態］
（１−１）画像処理システムの構成
本実施形態の画像処理システム１は、図１に示すように、画像処理装置１０と情報処理装置３０とを備えている。画像処理装置１０と情報処理装置３０は、相互にデータ通信可能に構成されている。本実施形態では、一例として、画像処理装置１０と情報処理装置３０とがＬＡＮ３によって接続され、ＬＡＮ３を通じて相互にデータ通信可能である。
【００１５】
なお、画像処理装置１０と情報処理装置３０とのデータ通信がＬＡＮ３を通じて行われることは一例であり、他の通信媒体を介して或いは他の通信方式にてデータ通信可能であってもよい。例えば、無線ＬＡＮ、Ｂｌｕｅｔｏｏｔｈ（Bluetooth SIG, Inc.の登録商標）などの無線通信を用いてデータ通信可能であってもよい。また例えば、ＵＳＢケーブルを通じてＵＳＢ規格のデータ通信が可能な構成であってもよい。
【００１６】
画像処理装置１０は、原稿の画像を読み取ってその読み取った画像の画像データを生成するスキャン機能、記録用紙の画像を印刷する印刷機能、ファクシミリデータを送受信するファクス機能などの、複数の機能を備えている。なお、印刷機能には、スキャン機能で読み取った画像を記録用紙に印刷するコピー機能が含まれる。
【００１７】
画像処理装置１０は、制御部１１、記憶部１２、入力部１３、表示部１４、通信部１５、画像読取部１６、印刷部１７、メディアインタフェース部（以下「メディアＩ／Ｆ」と称す）１８、及び回線接続部１９を備え、これらがバス２０を介して相互に接続されている。本実施形態では、制御部１１はＣＰＵを有する。記憶部１２は、例えばＲＯＭ、ＲＡＭ、ＮＶＲＡＭ、フラッシュメモリなどの半導体メモリを有する。即ち、画像処理装置１０は、ＣＰＵ及び半導体メモリを含むマイクロコンピュータを備えている。
【００１８】
制御部１１は、非遷移的実体的記録媒体に格納されたプログラムを実行することにより各種機能を実現する。本実施形態では、記憶部１２が、プログラムを格納した非遷移的実体的記録媒体に該当する。なお、制御部１１により実現される各種機能は、プログラムの実行によって実現することに限るものではなく、その一部又は全部について、一つあるいは複数のハードウェアを用いて実現してもよい。
【００１９】
記憶部１２には、後述する図７のワンタッチキー対応処理のプログラムが記憶されている。また、記憶部１２が有する半導体メモリのうち、記憶内容を電気的に書き換え可能な不揮発性のメモリ、例えばフラッシュメモリ若しくはＮＶＲＡＭには、後述する図３（ａ）の機能ロック管理テーブルや図３（ｂ）のワンタッチキー登録テーブルが記憶される。
【００２０】
入力部１３は、各種入力操作を受け付けるための入力用デバイスを有する。表示部１４は、例えば液晶ディスプレイや有機ＥＬディスプレイなどの各種の表示デバイスの少なくとも１つを有する。
【００２１】
本実施形態の画像処理装置１０は、図２に示すような操作パネル５を備えており、この操作パネル５に、入力部１３及び表示部１４が有する各種構成要素が配置されている。具体的に、操作パネル５には、入力部１３が有する構成要素として、電源キー６、タッチパネル７、ダイヤルキー８、及びワンタッチ入力部９が配置されている。タッチパネル７は、表示部１４が有する構成要素の１つでもある。
【００２２】
電源キー６は、画像処理装置１０の電源をオン、オフさせるためのキーである。タッチパネル７は、各種情報が表示される表示デバイスと、入力操作を受け付ける位置入力装置とを有する。ダイヤルキー８は、ダイヤル時や各種設定値の入力時などの数値入力を行う際に使用するキーである。
【００２３】
ワンタッチ入力部９は、後述するワンタッチ機能を実行させるためのキーである。ワンタッチ入力部９は、第１キー２１、第２キー２２、第３キー２３、第４キー２４、及びシフトキー２５を有する。第１キー２１〜第４キー２４の４つのキーは、それぞれ、物理的には１つのキーであるが、シフトキー２５との組合せによって２種類のキーとして機能する。
【００２４】
即ち、第１キー２１は、当該第１キー２１が単独で押下された場合には第１ワンタッチキーとして機能し、シフトキー２５が押下された状態で当該第１キー２１が押下された場合には第５ワンタッチキーとして機能する。よって、以下の説明で、「第１ワンタッチキー」について「押下」されるとは第１キー２１が単独で押下されることを意味し、「第５ワンタッチキー」について「押下」されるとはシフトキー２５が押下された状態で第１キー２１が押下されることを意味する。
【００２５】
第２キー２２は、当該第２キー２２が単独で押下された場合には第２ワンタッチキーとして機能し、シフトキー２５が押下された状態で当該第２キー２２が押下された場合には第６ワンタッチキーとして機能する。よって、以下の説明で、「第２ワンタッチキー」について「押下」されるとは第２キー２２が単独で押下されることを意味し、「第６ワンタッチキー」について「押下」されるとはシフトキー２５が押下された状態で第２キー２２が押下されることを意味する。
【００２６】
第３キー２３は、当該第３キー２３が単独で押下された場合には第３ワンタッチキーとして機能し、シフトキー２５が押下された状態で当該第３キー２３が押下された場合には第７ワンタッチキーとして機能する。よって、以下の説明で、「第３ワンタッチキー」について「押下」されるとは第３キー２３が単独で押下されることを意味し、「第７ワンタッチキー」について「押下」されるとはシフトキー２５が押下された状態で第３キー２３が押下されることを意味する。
【００２７】
第４キー２４は、当該第４キー２４が単独で押下された場合には第４ワンタッチキーとして機能し、シフトキー２５が押下された状態で当該第４キー２４が押下された場合には第８ワンタッチキーとして機能する。よって、以下の説明で、「第４ワンタッチキー」について「押下」されるとは第４キー２４が単独で押下されることを意味し、「第８ワンタッチキー」について「押下」されるとはシフトキー２５が押下された状態で第４キー２４が押下されることを意味する。
【００２８】
通信部１５は、画像処理装置１０をＬＡＮ３に接続するための通信インタフェースである。画像読取部１６は、イメージセンサを備え、原稿の画像を読み取り、読み取った画像の画像データを生成する。画像読取部１６は、１枚の原稿に対して片面の画像のみスキャンする片面スキャン、及び両面の画像を個別にスキャンする両面スキャンを実行可能に構成されている。印刷部１７は、インクジェット方式や電子写真方式の印刷機構を有し、シート状の記録用紙に画像を印刷することが可能である。
【００２９】
メディアＩ／Ｆ１８は、各種の記憶メディアが装着されるインタフェース部であり、装着された記憶メディアに対するデータの書き込み及び読み出しを制御する。回線接続部１９は、通信回線を通じて外部機器とデータ通信を行うためのインタフェース部である。回線接続部１９に接続される通信回線は、本実施形態では例えば公衆電話網である。ファクス機能におけるファクシミリデータの送受信は、回線接続部１９を介して行われる。
【００３０】
情報処理装置３０は、制御部３１、記憶部３２、入力部３３、表示部３４、及び通信部３５を備え、これらがバス３６を介して相互に接続されている。本実施形態では、制御部３１はＣＰＵを有する。記憶部３２は、例えばＲＯＭ、ＲＡＭ、ＮＶＲＡＭ、フラッシュメモリなどの半導体メモリを有する。即ち、情報処理装置３０は、ＣＰＵ及び半導体メモリを含むマイクロコンピュータを備えている。記憶部３２は、ハードディスクドライブ、光ディスクなどの、半導体メモリ以外の他の記憶媒体を有していてもよい。
【００３１】
制御部３１は、非遷移的実体的記録媒体に格納されたプログラムを実行することにより各種機能を実現する。本実施形態では、記憶部３２が、プログラムを格納した非遷移的実体的記録媒体に該当する。なお、制御部３１により実現される各種機能は、プログラムの実行によって実現することに限るものではなく、その一部又は全部について、一つあるいは複数のハードウェアを用いて実現してもよい。
【００３２】
入力部３３は、各種入力操作を受け付けるための各種の入力用デバイスを有する。本実施形態の入力部１３は、例えば、キーボード、マウス、及びタッチパネルを有する。表示部３４は、例えば液晶ディスプレイや有機ＥＬディスプレイなどの各種の表示デバイスの少なくとも１つを有する。通信部３５は、情報処理装置３０をＬＡＮ３に接続するための通信インタフェースである。
【００３３】
ＬＡＮ３は、インターネット１００に接続されている。画像処理装置１０及び情報処理装置３０は、ＬＡＮ３を通じて相互にデータ通信可能であり、且つ、インターネット１００に接続されている各種の情報処理装置とデータ通信可能である。
【００３４】
（１−２）機能ロックモードの説明
画像処理装置１０は、セキュリティ機能を備えている。セキュリティ機能は、ユーザ毎に個別に使用可能な機能に制限をかけることが可能な機能である。具体的に、画像処理装置１０は、動作モードとしての機能ロックモードのオン、オフを切り替え可能に構成されている。
【００３５】
機能ロックモードがオフに設定されている場合は、全てのユーザが制限なく画像処理装置１０の機能を利用できる。機能ロックモードがオンに設定されている場合は、ユーザ毎に、そのユーザに対して制限されていない機能の範囲内で画像処理装置１０の機能を利用できる。機能ロックモードのオン、オフの切り替えは、画像処理装置１０でできるのに加え、情報処理装置３０からも可能である。
【００３６】
機能ロックモードのオン時に画像処理装置１０を利用可能なユーザ、及びそのユーザが利用できない機能は、予め登録しておくことができる。この登録は、画像処理装置１０本体で直接行えるようにしてもよいが、本実施形態では、情報処理装置３０から行うことができるように構成されている。
【００３７】
具体的に、情報処理装置３０において例えばウェブブラウザを立ち上げ、画像処理装置１０内の特定のアドレスにアクセスすると、管理者確認画面が表示される。その管理者確認画面に対し、特定の管理者情報を入力すると、管理用のメイン管理画面が表示される。そのメイン管理画面から、機能ロックモードのオン、オフの切り替え、及び、機能ロックモードオン時におけるユーザ毎の機能制限を行うための、機能ロック管理画面に遷移することができる。
【００３８】
機能ロック管理画面において、管理者は、登録したいユーザ名を入力し且つパスワードを設定することで、機能ロックモードオン時に画像処理装置１０を使用可能なユーザを登録することができる。ユーザ登録は、例えば最大１０人まで可能である。ただし勿論、登録可能なユーザ数が１０人であることはあくまでも一例である。また、機能ロック管理画面においては、登録ユーザ毎に、機能ロックモードオン時に制限をかけたい機能を任意に設定することができる。
【００３９】
また、機能ロックモードのオン時においては、ユーザモードとして、特定の登録ユーザがログインした状態であるパーソナルモードの他に、登録ユーザがログインしておらず不特定のユーザが使用可能なパブリックモードを設定することも可能である。そして、パブリックモードに対しても、機能ロック管理画面において使用可能な機能を制限することができる。
【００４０】
機能ロックモードオン時における、ユーザ毎に制限されている機能の情報は、機能ロック管理テーブルとして、記憶部１２における、電気的に書き換え可能な不揮発性メモリに記憶される。機能ロック管理テーブルの一例を図３（ａ）に示す。
【００４１】
図３（ａ）に例示する機能ロック管理テーブルにおいては、機能ロックモードオン時におけるユーザモードとして、ログインが不要なパブリックモードが予め設定されている他、パーソナルモードとして、二人の登録ユーザ、即ちユーザＡ及びユーザＢが登録されている。そして、パブリックモードに対しては、例えばスキャン機能やファクス機能などが制限されていてコピー機能のみ使用可能に設定されている。ユーザＡに対しては、ファクス機能が制限されていてコピー機能及びスキャン機能が使用可能に設定されている。ユーザＢに対しては、コピー機能が制限されていてスキャン機能及びファクス機能が使用可能に設定されている。
【００４２】
従って、機能ロックモードがオンに設定されている場合であって、ユーザモードがパブリックモードである場合、即ち登録ユーザがログインしていない場合は、使用可能な機能はコピーであって、スキャン機能やファクス機能は使用できない。一方、機能ロックモードオン時において、例えば登録ユーザのうちユーザＡがログインしたパーソナルモードになると、使用可能な機能がコピー機能及びスキャン機能となり、ファクス機能が使用できない状態となる。なお、機能ロックモードをオフにすれば、画像処理装置１０の機能を制限なく使用できる。
【００４３】
（１−３）ワンタッチ機能の説明
画像処理装置１０が備える各種機能を利用する際には、通常、ユーザは複数の手順を踏んで実行させる必要がある。例えば、原稿の画像をスキャンしてその画像データを情報処理装置３０へ送信する機能を利用したい場合、送信先として情報処理装置３０を指定するための入力操作や、スキャン時の各種設定値の設定・確認作業等が必要となる。そのため、各種機能を通常の手順で実行させようとすると手間がかかる。
【００４４】
これに対し、本実施形態の画像処理装置１０は、予め決められた特定の機能を、第１ワンタッチキー〜第８ワンタッチキーの何れかにワンタッチ機能として予め登録しておくことにより、その特定の機能を、対応するワンタッチキーを押下することによって容易に実行させることが可能に構成されている。
【００４５】
ユーザは、第１ワンタッチキー〜第８ワンタッチキーに対し、ワンタッチキーとして登録したい特定の機能について、その特定の機能の実行に用いられる各種設定値を設定することにより、その特定の機能をワンタッチ機能として登録することができる。ワンタッチ機能を登録すると、以後、その登録した機能については、対応するワンタッチキーを押下することで、予め設定された各種設定値に基づき、ユーザの手間を要することなく、或いは通常よりも少ない手間で、迅速に実行させることができる。
【００４６】
例えば、両面コピーを行いたい場合、通常は、コピー機能の選択画面から両面コピーを選択し、さらに、例えば画質、記録用紙サイズ、コピー濃度、拡大／縮小の有無、などの各種設定項目の設定値をそれぞれ設定する必要がある。これに対し、それら各設定値を予め設定してワンタッチ機能として登録しておくことで、ワンタッチキーを押下することによってそれら設定値に基づく両面コピーを実行させることができる。
【００４７】
本実施形態では、１つのワンタッチキーに対して、複数のワンタッチ機能を登録することができる。より具体的には、１つのワンタッチキーに対し、パブリックワンタッチ機能と、パーソナルワンタッチ機能とを登録できる。パーソナルワンタッチ機能は、さらに、登録ユーザ毎に個別に登録することができる。つまり、本実施形態では、１つのワンタッチキーに対し、１つのパブリックワンタッチ機能と、登録ユーザ毎の個別のパーソナルワンタッチ機能とを登録することができる。
【００４８】
パブリックワンタッチ機能は、機能ロックモードがオフにされているときには無条件に実行させることができる。また、パブリックワンタッチ機能は、機能ロックモードがオンにされている場合にも、条件付きで実行可能である。具体的に、機能ロックモードがオンされていてユーザモードがパブリックモードである場合、パブリックワンタッチ機能として登録されている実行対象機能がパブリックモードに対して制限されていない場合は、そのパブリックワンタッチ機能を実行させることができる。また、機能ロックモードがオンされている場合であって、ユーザモードが例えばユーザＡがログインしているパーソナルモードである場合、パブリックワンタッチ機能として登録されている実行対象機能がユーザＡに対して制限されていない場合は、そのパブリックワンタッチ機能を実行させることができる。
【００４９】
ワンタッチキーに対するパブリックワンタッチ機能の登録は、機能ロックモードがオフにされているとき、及び機能ロックモードがオンであって且つユーザモードがパブリックモードのときに行うことができる。ただし、機能ロックモードがオンのときにパブリックワンタッチ機能として登録可能な機能は、パブリックモードに対して制限されていない機能に限定される。
【００５０】
ワンタッチキーに対するパーソナルワンタッチ機能の登録は、機能ロックモードがオンであって且つ何れかの登録ユーザがログインしているときに、そのログインしているユーザ（以下、「ログインユーザ」という。）に対して制限されていない機能の範囲内で行うことができる。
【００５１】
各ワンタッチキーに対するワンタッチ機能の登録情報は、ワンタッチキー登録テーブルとして、記憶部１２における、電気的に書き換え可能な不揮発性メモリに記憶される。記憶部１２における前述の不揮発性メモリにおいては、第１ワンタッチキー〜第８ワンタッチキーの８つのワンタッチキー毎に、パブリックワンタッチ機能を実行させるための機能実行情報が記憶されるパブリック記憶領域と、パーソナルワンタッチ機能を実行させるための機能実行情報が記憶されるパーソナル記憶領域とが割り当てられる。ワンタッチキー登録テーブルの実体は、パブリック記憶領域及びパーソナル記憶領域に記憶されている、ワンタッチキー毎の各機能実行情報である。
【００５２】
ワンタッチキー登録テーブルの一例を図３（ｂ）に示す。図３（ｂ）に例示するワンタッチキー登録テーブルにおいて、例えば第１ワンタッチキーに対しては、パブリックワンタッチ機能として、特定の態様で両面コピーを実行させることが登録されている。さらに、第１ワンタッチキーに対しては、登録ユーザのうちユーザＡ及びユーザＢに対してそれぞれパーソナルワンタッチ機能が登録されている。
【００５３】
図３（ｂ）に例示するワンタッチキー登録テーブルにおいて、第２ワンタッチキーに対しては、パブリックワンタッチ機能として両面コピーが登録され、ユーザＢに対するパーソナルワンタッチ機能として、×××さんへファクスするように設定されたファクス機能が登録されている。よって、機能ロックモードオン時であってユーザＢがログインしているときに、第２ワンタッチキーを押下することで、×××さんのファクシミリ番号を手入力することなく、×××さんへのファクシミリデータの送信を実行させることができる。
【００５４】
（１−４）画面遷移例
画像処理装置１０の電源キー６を押下して画像処理装置１０を起動させると、特定の初期処理が行われた後、タッチパネル７に待機画面が表示される。待機画面には、主に、機能ロックモードのオン、オフの状態に応じて二種類がある。機能ロックモードがオフに設定されている場合は、図４（ａ）に示す待機画面（以下「第１の待機画面」ともいう）４０が表示される。
【００５５】
機能ロックモードオフ時の第１の待機画面４０には、図４（ａ）に示すように、画面中の左上に、「基本機能」というテキストが表示される。このテキストは、画面の種類を示していると共に、機能ロックモードがオフに設定されていることも示している。
【００５６】
第１の待機画面４０には、複数の機能選択画像４１，４２，４３が表示される。ユーザは、何れかの機能選択画像に対する入力操作（例えば画像のタップ）を行うことで、対応する機能を実行させることができる。また、第１の待機画面４０には、メニューキー４５が表示される。メニューキー４５がタップされると、画像処理装置１０の各種設定を行うためのメニュー画面が表示される。
【００５７】
機能ロックモードがオンの場合、待機画面として、図４（ｂ）の左側に示す待機画面（以下「第２の待機画面」ともいう）４６が表示される。この第２の待機画面４６が第１の待機画面４０と異なるのは、画面左上において、「基本機能」のテキストに代えて、ユーザモード表示画像４６ａが表示されることである。
【００５８】
ユーザモード表示画像４６ａは、主に２つの情報を示している。１つは、機能ロックモードがオンに設定されていることを示している。もう一つは、ユーザモードを示している。機能ロックモードがオフからオンに切り替えられた直後の初期状態は、機能ロックモードがオンに設定されているものの登録ユーザがログインしていない状態、即ちユーザモードがパブリックモードに設定されている状態である。そのため、この場合は、ユーザモード表示画像４６ａとして、ユーザモードがパブリックモードであることを示す「パブリックモード」というテキストが表示される。
【００５９】
ユーザモードがパブリックモードである場合に例えば第１ワンタッチキーを押下すると、第１ワンタッチキーに登録されているパブリックワンタッチ機能が開始される。ただし、パブリックワンタッチ機能として登録されている機能の種類がパブリックモードにおいて制限されていない場合に、そのパブリックワンタッチ機能が開始される。本実施形態では、図３（ｂ）に例示したように第１ワンタッチキーにはパブリックワンタッチ機能として両面コピーが登録されており、コピー機能は図３（ａ）に例示したようにパブリックモードに対して使用可能な機能に設定されている。
【００６０】
そのため、ユーザモードがパブリックモードである場合に例えば第１ワンタッチキーを押下することで、パブリックワンタッチ機能として登録されている両面コピーを実行させることができる。具体的に、第１ワンタッチキーを押下すると、図４（ｂ）に例示するように、タッチパネル７には、パブリックワンタッチ機能として登録されている両面コピーが開始されることを示す機能呼出画面４９が表示される。そして、一定時間経過後、登録されている両面コピーを実行させるためのスタート画面５０が表示される。
【００６１】
両面コピーのスタート画面５０には、登録されている両面コピーの各種設定値が表示される。また、スタート画面５０には、スタートキー５１と、設定変更キー５２と、キャンセルキー５３とが表示される。スタートキー５１をタップすると、登録されている両面コピーを実際に実行させることができる。設定変更キー５２をタップすると、各種設定値の設定変更を行うことが可能な画面に遷移し、そこで設定値を変更することができる。キャンセルキー５３をタップすると、ワンタッチ機能の実行が停止され、第２の待機画面４６に戻る。
【００６２】
第２の待機画面４６において、ユーザモード表示画像４６ａをタップすると、登録ユーザのログイン用の画面が表示される。その画面において、特定の登録ユーザのユーザ名およびパスワードを入力すると、その登録ユーザのログインが成功する。いずれかの登録ユーザがログインすると、第２の待機画面４６には、ユーザモード表示画像４６ａとして、ログインユーザを示すテキストが表示される。図５の左側に示す第２の待機画面４６は、ユーザＡがログインしていることを示しており、図６の左側に示す第２の待機画面４６は、ユーザＢがログインしていることを示している。
【００６３】
ここで、ユーザＡがログインしている場合の画面遷移例について図５を用いて説明する。第１ワンタッチキーに対しては、図３（ｂ）に例示したように、パブリックワンタッチ機能及びユーザＡのパーソナルワンタッチ機能が登録されている。そのため、ユーザＡがログインしている状態において第１ワンタッチキーを押下すると、図５に示すように、実行機能選択画面５５が表示される。
【００６４】
実行機能選択画面５５には、押下された第１ワンタッチキーに対して登録されている、ログイン中のユーザＡのパーソナルワンタッチ機能及びパブリックワンタッチ機能の内容がそれぞれ表示される。また、実行機能選択画面５５には、ログイン中のユーザＡのパーソナルワンタッチ機能を実行させるためのパーソナル指定キー５６と、パブリックワンタッチ機能を実行させるためのパブリック指定キー５７とが表示される。
【００６５】
パーソナル指定キー５６がタップされると、第１ワンタッチキーに登録されているユーザＡのパーソナルワンタッチ機能が実行される。具体的には、登録されているメディアスキャンを実行させるためのスタート画面６５が表示される。メディアスキャンのスタート画面６５には、登録されているメディアスキャンの各種設定値が表示される。また、スタート画面６５には、スタートキー６６と、設定変更キー６７とが表示される。スタートキー６６をタップすると、登録されているメディアスキャンを実際に実行させることができる。設定変更キー６７をタップすると、各種設定値の設定変更を行うことが可能な画面に遷移し、そこで設定値を変更することができる。
【００６６】
実行機能選択画面５５において、パブリック指定キー５７がタップされると、第１ワンタッチキーに登録されているパブリックワンタッチ機能が実行される。具体的には、登録されている両面コピーを実行させるためのスタート画面５０が表示される。このスタート画面５０に表示されているスタートキー５１をタップすると、登録されている両面スキャンを実際に実行させることができる。
【００６７】
つまり、ユーザＡは、第１ワンタッチキーを押下した場合、パブリックワンタッチ機能及び自身が登録しているパーソナルワンタッチ機能の何れか一方を選択的に実行させることができる。ただし、パブリックワンタッチ機能については、ユーザＡに実行する権限がある場合、即ちパブリックワンタッチ機能として登録されている機能がユーザＡに対して制限されていない場合に、実行可能である。
【００６８】
一方、第２ワンタッチキーに対しては、図３（ｂ）に例示したように、パブリックワンタッチ機能は登録されているもののユーザＡのパーソナルワンタッチ機能はまだ登録されていない。そのため、ユーザＡがログインしている状態において第２ワンタッチキーを押下すると、図５に示すように、登録・実行選択画面６０が表示される。
【００６９】
登録・実行選択画面６０には、押下された第２ワンタッチキーに対して登録されているパブリックワンタッチ機能の内容と、ログイン中のユーザＡのパーソナルワンタッチ機能が未登録状態であることが表示される。また、登録・実行選択画面６０には、ログイン中のユーザＡのパーソナルワンタッチ機能を新規登録させるためのパーソナル登録キー６１と、パブリックワンタッチ機能を実行させるためのパブリック指定キー６２とが表示される。
【００７０】
パブリック指定キー６２がタップされると、第２ワンタッチキーに登録されているパブリックワンタッチ機能が実行される。具体的には、登録されている両面コピーを実行させるためのスタート画面５０が表示される。このスタート画面５０に表示されているスタートキー５１をタップすると、登録されている両面スキャンを実際に実行させることができる。
【００７１】
登録・実行選択画面６０において、パーソナル登録キー６１がタップされると、ログイン中のユーザＡのパーソナルワンタッチ機能を新規登録するための画面に遷移する。具体的に、まず、登録機能選択画面７０が表示され、ユーザは、ワンタッチ機能として登録したい機能を選択できる。
【００７２】
また、登録機能選択画面７０には、ワンタッチ機能として登録可能な機能が一覧表示されるが、その中で、ログイン中のユーザに対して制限がかけられている機能については、グレーアウト表示され、選択できないようになっている。本実施形態では、ユーザＡに対してはファクス機能及びクラウド機能は実行できない機能として制限されているため、登録機能選択画面７０において、ファクス機能及びクラウド機能はグレーアウト表示されている。そして、ユーザＡは、コピー機能及びスキャン機能のうちいずれかを選択できる。
【００７３】
登録機能選択画面７０において何れかの機能が選択されると、その選択された機能についてより詳細な設定を行うための設定画面に遷移し、そこで各種設定項目の設定値を設定することができる。そして、最終的に、第２ワンタッチキーに対するユーザＡのパーソナルワンタッチ機能として新規登録することができる。
【００７４】
次に、ユーザＢがログインしている場合の画面遷移例について図６を用いて説明する。第１ワンタッチキーに対しては、図３（ｂ）に例示したように、パブリックワンタッチ機能及びユーザＢのパーソナルワンタッチ機能が登録されている。しかし、パブリックワンタッチ機能として登録されている両面コピーは、ユーザＢに対して制限がかけられている機能であって、ユーザＢのログイン中には実行させることができない。
【００７５】
そのため、ユーザＢがログインしている状態において第１ワンタッチキーを押下すると、第１ワンタッチキーに対して登録されている、ユーザＢのパーソナルワンタッチ機能が実行される。具体的には、まず、ユーザＢのパーソナルワンタッチ機能として登録されている○○○さんへのファクスが開始されることを示す機能呼出画面４９が表示される。そして、一定時間経過後、その○○○さんへのファクシミリデータ送信を実行させるためのスタート画面８０が表示される。このスタート画面８０には、送信先のファクシミリ番号を含む、登録されている各種設定値が表示される。また、スタート画面８０には、スタートキー８１と、設定変更キー８２とが表示される。スタートキー８１をタップすると、登録されている○○○さんへのファクシミリデータの送信を実際に実行させることができる。設定変更キー８２をタップすると、各種設定値の設定変更を行うことが可能な画面に遷移し、そこで設定値を変更することができる。
【００７６】
一方、第３ワンタッチキーに対しては、図３（ｂ）に例示したように、パブリックワンタッチ機能は登録されているもののユーザＢのパーソナルワンタッチ機能はまだ登録されていない。また、登録されているパブリックワンタッチ機能はレイアウトコピーであり、ユーザＢに対しては制限がかけられている機能である。
【００７７】
そのため、ユーザＢがログインしている状態において第３ワンタッチキーを押下すると、図６に示すように、登録機能選択画面７０が表示される。ユーザＢは、この登録機能選択画面７０を起点として、図５で説明したユーザＡのパーソナルワンタッチ機能の新規登録と全く同様の要領で、ユーザＢのパーソナルワンタッチ機能を新規登録することができる。
【００７８】
なお、図６の登録機能選択画面７０においても、ユーザＢに対して制限がかけられている機能についてはグレーアウト表示され、選択できないようにされている。
（１−５）ワンタッチキー対応処理
次に、ワンタッチキーが押下された場合に実行されるワンタッチキー対応処理について、図７のフローチャートを用いて説明する。画像処理装置１０の制御部１１は、第１ワンタッチキー〜第８ワンタッチキーのいずれかが押下されると、記憶部１２に記憶されている図７のワンタッチキー対応処理のプログラムを読み込んで実行する。図４（ｂ）、図５、図６に例示した画面遷移は、制御部１１が図７のワンタッチキー対応処理を実行することにより実現される。
【００７９】
画像処理装置１０の制御部１１は、何れかのワンタッチキーが押下されたことにより図７のワンタッチキー対応処理を開始すると、Ｓ１１０で、機能ロックモードがオンに設定されているか否か判断する。
【００８０】
機能ロックモードがオンに設定されている場合は、Ｓ１２０で、ユーザモードがパブリックモードであるか否か判断する。ユーザモードがパブリックモードである場合、即ち登録ユーザがログインしていない場合は、Ｓ１３０のパブリックモード時キー処理を実行する。ユーザモードが、何れかの登録ユーザがログインしているパーソナルモードである場合は、Ｓ１４０のパーソナルモード時キー処理を実行する。
【００８１】
Ｓ１３０のパブリックモード時キー処理の詳細は、図８に示す通りである。図８に示すように、パブリックモード時キー処理に進むと、Ｓ２１０で、押下されたワンタッチキーに対してパブリックワンタッチ機能が登録されているか否か判断する。具体的には、記憶部１２が有する前述の不揮発性メモリにおける、押下されたワンタッチキーに割り当てられたパブリック記憶領域に、パブリックワンタッチ機能の内容を示す機能実行情報が記憶されているか否かを判断する。
【００８２】
押下されたワンタッチキーに対してパブリックワンタッチ機能が登録されている場合は、Ｓ２２０に進む。Ｓ２２０では、押下されたワンタッチキーに登録されているパブリックワンタッチ機能が、パブリックモードにおいて使用可能な機能であるか否か判断する。
【００８３】
登録されているパブリックワンタッチ機能がパブリックモードにおいて制限がかけられている機能である場合は、Ｓ２５０で、機能制限によりワンタッチ機能を使用できない旨の報知を行って、ワンタッチキー対応処理を終了する。Ｓ２５０における報知の具体的態様としては、例えば、タッチパネル７に特定のメッセージを表示させることや、音声により報知を行うことなどが考えられる。
【００８４】
Ｓ２２０で、押下されたワンタッチ機能に登録されているパブリックワンタッチ機能がパブリックモードにおいて使用可能な機能であると判断した場合は、Ｓ２３０に進む。Ｓ２３０では、登録されているパブリックワンタッチ機能のスタート画面を表示させる。なお、スタート画面の表示の前に、図４（ｂ）に例示した機能呼出画面４９を一時的に表示させる。
【００８５】
Ｓ２３０では、具体的には、記憶部１２が有する前述の不揮発性メモリにおける、押下されたワンタッチキーに割り当てられたパブリック記憶領域から、パブリックワンタッチ機能の機能実行情報を取得する。そして、その取得した機能実行情報に基づき、パブリックワンタッチ機能の実行用のスタート画面を表示させる。
【００８６】
そして、スタート画面において例えばスタートキーが押下されるなど、最終的に機能を実行させる旨の入力操作が行われた場合は、Ｓ２４０で、登録されているワンタッチ機能を実行する。
【００８７】
Ｓ２１０で、押下されたワンタッチキーに対してパブリックワンタッチ機能が登録されていない場合は、Ｓ２６０に進む。Ｓ２６０では、パブリックワンタッチ機能の新規登録用の登録機能選択画面を表示させる。このとき、機能の選択肢のうち、パブリックモードに対して制限がかけられている機能については、グレーアウト表示させて選択できないようにする。
【００８８】
Ｓ２７０では、登録機能選択画面に表示されている、選択可能な機能の選択肢の中から、いずれかが選択されたか否か判断する。そしていずれかの機能が選択された場合は、Ｓ２８０に進む。Ｓ２８０では、選択された機能の実行に必要な各種設定項目の設定値を入力させるための設定値入力画面を表示させる。ユーザは、設定値入力画面に対して、Ｓ２７０で選択した機能の実行に必要な各種設定値を入力することができる。
【００８９】
Ｓ２９０では、設定値が入力されたか否か判断する。設定値が入力された場合は、その入力された設定値を記憶部１２に一時的に記憶して、Ｓ２９０に戻る。設定値が入力されていない場合は、Ｓ３１０で、ユーザにより登録指示が行われたか否か判断する。登録指示の具体例としては、設定値入力画面に表示されているＯＫキーがタップされること、が挙げられる。
【００９０】
登録指示が行われていない場合は、Ｓ２９０に戻る。登録指示が行われた場合は、Ｓ３２０に進む。Ｓ３２０では、Ｓ２７０で選択された機能、及びＳ２８０〜Ｓ３１０の一連の処理で入力された設定値に基づいて、押下されたワンタッチキーに対するパブリックワンタッチ機能の新規登録を行う。具体的に、選択された機能及び入力された設定値を示す情報を、押下されたワンタッチキーに対応したパブリックワンタッチ機能の実行用の機能実行情報として、記憶部１２が有する前述の不揮発性メモリにおける、押下されたワンタッチキーに割り当てられたパブリック記憶領域に、記憶する。
【００９１】
次に、Ｓ１４０のパーソナルモード時キー処理の詳細について、図９、図１０を用いて説明する。図９に示すように、パーソナルモード時キー処理に進むと、Ｓ４１０で、押下されたワンタッチキーに対して、ログインユーザのパーソナルワンタッチ機能が登録されているか否か判断する。具体的には、記憶部１２が有する前述の不揮発性メモリにおける、押下されたワンタッチキーに割り当てられたログインユーザのパーソナル記憶領域に、パーソナルワンタッチ機能の内容を示す機能実行情報が記憶されているか否かを判断する。
【００９２】
ログインユーザのパーソナルワンタッチ機能が登録されている場合は、Ｓ４２０に進む。Ｓ４２０では、図８のＳ２１０と全く同様に、押下されたワンタッチキーに対してパブリックワンタッチ機能が登録されているか否か判断する。
【００９３】
パブリックワンタッチ機能が登録されていない場合は、Ｓ５００に進む。Ｓ５００では、押下されたワンタッチキーに登録されているログインユーザのパーソナルワンタッチ機能のスタート画面を表示させる。具体的には、記憶部１２が有する前述の不揮発性メモリにおける、押下されたワンタッチキーに割り当てられたログインユーザのパーソナル記憶領域から、ログインユーザのパーソナルワンタッチ機能の機能実行情報を取得する。そして、その取得した機能実行情報に基づき、ログインユーザのパーソナルワンタッチ機能の実行用のスタート画面を表示させる。そして、スタート画面において例えばスタートキーが押下されるなど、最終的に機能を実行させる旨の入力操作が行われた場合は、Ｓ４７０で、ログインユーザのパーソナルワンタッチ機能を実行する。
【００９４】
Ｓ４２０で、押下されたワンタッチキーに対してパブリックワンタッチ機能が登録されている場合は、Ｓ４３０に進む。Ｓ４３０では、押下されたワンタッチキーに登録されているパブリックワンタッチ機能が、ログインユーザの権限で使用可能な機能であるか否か判断する。
【００９５】
登録されているパブリックワンタッチ機能が、ログインユーザに対して制限がかけられていてログインユーザ権限で使用できない機能である場合は、Ｓ５００に進み、前述の通り、押下されたワンタッチキーに登録されているログインユーザのパーソナルワンタッチ機能を実行させるための処理を進める。
【００９６】
Ｓ４３０で、押下されたワンタッチ機能に登録されているパブリックワンタッチ機能が、ログインユーザに対して制限がかけられておらずログインユーザ権限で使用可能な機能であると判断した場合は、Ｓ４４０に進む。Ｓ４４０では、実行機能選択画面５５を表示させる。この実行機能選択画面５５は、図５に例示したように、実行させるワンタッチ機能としてパブリックワンタッチ機能及びログインユーザのパーソナルワンタッチ機能のうち何れかを選択させるための画面である。
【００９７】
Ｓ４５０では、実行機能選択画面５５に対してログインユーザのパーソナルワンタッチ機能が選択されたか否か、即ちパーソナル指定キー５６がタップされたか否かを判断する。ログインユーザのパーソナルワンタッチ機能が選択された場合は、Ｓ４６０で、Ｓ５００と同様、押下されたワンタッチキーに登録されているログインユーザのパーソナルワンタッチ機能のスタート画面を表示させる。そして、スタート画面において例えばスタートキーが押下されるなど、最終的に機能を実行させる旨の入力操作が行われた場合は、Ｓ４７０で、ログインユーザのパーソナルワンタッチ機能を実行する。
【００９８】
Ｓ４５０で、ログインユーザのパーソナルワンタッチ機能が選択されない場合は、Ｓ４８０で、パブリックワンタッチ機能が選択されたか否か、即ちパブリック指定キー５７がタップされたか否か判断する。パブリックワンタッチ機能が選択されない場合はＳ４５０に戻る。パブリックワンタッチ機能が選択された場合は、Ｓ４９０で、押下されたワンタッチキーに登録されているパブリックワンタッチ機能のスタート画面を表示させる。そして、スタート画面において例えばスタートキーが押下されるなど、最終的に機能を実行させる旨の入力操作が行われた場合は、Ｓ４７０で、パブリックワンタッチ機能を実行する。
【００９９】
Ｓ４１０で、押下されたワンタッチキーに対してログインユーザのパーソナルワンタッチ機能が登録されていない場合は、図１０のＳ６１０に進む。Ｓ６１０では、Ｓ４２０と同様、押下されたワンタッチキーに対してパブリックワンタッチ機能が登録されているか否か判断する。
【０１００】
パブリックワンタッチ機能が登録されていない場合はＳ６８０に進み、パブリックワンタッチ機能が登録されている場合はＳ６２０に進む。Ｓ６２０では、Ｓ４３０と同様、押下されたワンタッチキーに登録されているパブリックワンタッチ機能が、ログインユーザの権限で使用可能な機能であるか否か判断する。
【０１０１】
登録されているパブリックワンタッチ機能がログインユーザ権限で使用できない機能である場合はＳ６８０に進み、ログインユーザ権限で使用できる機能である場合はＳ６３０に進む。
【０１０２】
Ｓ６３０では、登録・実行選択画面６０を表示させる。この登録・実行選択画面６０は、図５に例示したように、登録されているパブリックワンタッチ機能を実行させるか、それともログインユーザのパーソナルワンタッチ機能を新規登録するかを選択させるための画面である。
【０１０３】
Ｓ６４０では、登録・実行選択画面６０に対してログインユーザのパーソナルワンタッチ機能の登録が選択されたか否か、即ちパーソナル登録キー６１がタップされたか否か判断する。ログインユーザのパーソナルワンタッチ機能の登録が選択されない場合は、Ｓ６５０に進む。Ｓ６５０では、登録・実行選択画面６０に対してパブリックワンタッチ機能の実行が選択されたか否か、即ちパブリック指定キー６２がタップされたか否か判断する。
【０１０４】
パブリックワンタッチ機能の実行が選択されない場合は、Ｓ６４０に戻る。パブリックワンタッチ機能の実行が選択された場合は、Ｓ６６０に進む。Ｓ６６０では、押下されたワンタッチキーに登録されているパブリックワンタッチ機能のスタート画面を表示させる。そして、スタート画面において例えばスタートキーが押下されるなど、最終的に機能を実行させる旨の入力操作が行われた場合は、Ｓ６７０で、パブリックワンタッチ機能を実行する。
【０１０５】
Ｓ６４０で、ログインユーザのパーソナルワンタッチ機能の登録が選択された場合は、Ｓ６８０に進む。Ｓ６８０では、ログインユーザのパーソナルワンタッチ機能の新規登録用の登録機能選択画面を表示させる。このとき、機能の選択肢のうち、ログインユーザに対して制限がかけられている機能については、グレーアウト表示させて選択できないようにする。
【０１０６】
Ｓ６９０〜Ｓ７３０の処理は、図８のＳ２７０〜Ｓ３１０の処理と基本的に同じである。即ち、Ｓ６９０〜Ｓ７３０の処理によって、ログインユーザのパーソナルワンタッチ機能の新規登録に必要な各種入力操作を受け付ける。そして、Ｓ７３０で、ユーザにより登録指示が行われた場合は、Ｓ７４０に進む。
【０１０７】
Ｓ７４０では、Ｓ３２０では、Ｓ６９０で選択された機能、及びＳ７００〜Ｓ７３０の一連の処理で入力された設定値に基づいて、押下されたワンタッチキーに対する、ログインユーザのパーソナルワンタッチ機能の新規登録を行う。具体的に、選択された機能及び入力された設定値を示す情報を、押下されたワンタッチキーに対応したログインユーザのパーソナルワンタッチ機能の実行用の機能実行情報として、記憶部１２が有する前述の不揮発性メモリにおける、押下されたワンタッチキーに割り当てられたパーソナル記憶領域に、記憶する。
【０１０８】
図７のＳ１１０で、機能ロックモードがオフに設定されている場合は、Ｓ１５０で、ロックオフ時キー処理を実行する。Ｓ１５０のロックオフ時キー処理の内容はおおよそ次の通りである。即ち、押下されたワンタッチキーに対してパブリックワンタッチ機能が登録されている場合は、そのパブリックワンタッチ機能を実行させるための処理を行う。具体的には、図８のＳ２３０〜Ｓ２４０と同様の処理を行う。一方、押下されたワンタッチキーに対してパブリックワンタッチ機能が登録されていない場合は、パブリックワンタッチ機能を新規登録するための処理を行う。具体的には、図８のＳ２６０以降の処理と同様の処理を行う。
【０１０９】
（１−６）実施形態の効果
以上説明した実施形態によれば、以下の効果を奏する。
１つのワンタッチキーに対し、パブリックワンタッチ機能とパーソナルワンタッチ機能とを登録できる。しかも、パーソナルワンタッチ機能については、登録ユーザ毎に個別に登録できる。また、パーソナルワンタッチ機能は、登録ユーザ毎に、機能ロックモードオン時に実行可能な機能の範囲内で登録される機能である。
【０１１０】
そのため、登録ユーザは、ワンタッチキーに対してパーソナルワンタッチ機能を登録しておくことで、機能ロックモードオン時であっても、少なくとも登録してあるパーソナルワンタッチ機能を実行させることができる。したがって、本実施形態の画像処理装置１０によれば、機能ロックモードオン時であっても各ワンタッチキーのワンタッチ機能をユーザ毎に有効に利用することができる。
【０１１１】
また、機能ロックモードオン時且つ何れかの登録ユーザがログインしている状態において、パブリックワンタッチ機能とログインユーザのパーソナルワンタッチ機能が登録されているワンタッチキーが押下された場合は、実行機能選択画面５５が表示される。より詳しくは、ログインユーザにパブリックワンタッチ機能の実行権限がある場合に、実行機能選択画面５５が表示される。そして、ユーザは、パブリックワンタッチ機能とパーソナルワンタッチ機能の何れかを選択して実行させることができる。
【０１１２】
そのため、ログインユーザは、自身のパーソナルワンタッチ機能とパブリックワンタッチ機能が登録されたワンタッチキーを押下した場合、両機能のうちいずれかを選択的に実行させることができ、実行可能なワンタッチ機能のバリエーションを増やすことができる。
【０１１３】
なお、パブリックワンタッチ機能とログインユーザのパーソナルワンタッチ機能の双方が登録されている場合に、ログインユーザにパブリックワンタッチ機能の使用権限がなくても、少なくともパーソナルワンタッチ機能は実行させることができる。
【０１１４】
逆に、ログインユーザは、自身のパーソナルワンタッチ機能が登録されていないワンタッチキーにパブリックワンタッチ機能が登録されている場合は、ログインユーザにその機能の使用権限があれば、ログイン中にそのパブリックワンタッチ機能を実行させることができる。
【０１１５】
また、機能ロックモードオン時且つ何れかの登録ユーザがログインしている状態において、ログインユーザのパーソナルワンタッチ機能は登録されておらずパブリックワンタッチ機能は登録されているワンタッチキーが押下された場合は、登録・実行選択画面６０が表示される。そして、ログインユーザは、押下したワンタッチキーに登録されているパブリックワンタッチ機能を実行させるか、それとも押下したワンタッチキーに対して当該ログインユーザのパーソナルワンタッチ機能を新規登録するか、を選択することができる。そのため、既に登録されているパブリックワンタッチ機能の内容を確認しつつ、パーソナルワンタッチ機能の新規登録を必要に応じて効率的に行うことができる。
【０１１６】
また、パブリックワンタッチ機能及びログインユーザのパーソナルワンタッチ機能のいずれも登録されていないワンタッチキーがある場合、登録ユーザは、ログインしてそのワンタッチキーを押下することで、そのワンタッチキーに対して自身のパーソナルワンタッチ機能を効率良く新規登録することができる。
【０１１７】
（１−７）特許請求の範囲の文言との対応関係
ここで、実施形態の文言と特許請求の範囲の文言との対応関係について説明する。
画像処理装置１０は機能実行装置の一例に相当する。画像処理装置１０の記憶部１２は記憶媒体に相当する。機能ロックモードがオフにされている状態は通常モードに相当し、機能ロックモードがオンにされている状態は制限モードに相当する。実行機能選択画面５５は機能選択画面に相当し、登録・実行選択画面６０は処理選択画面に相当する。機能ロックモードがオンに設定されている状態において、ユーザモードとして設定されているユーザは、有効ユーザに相当し、このうちパブリックモードはパブリックユーザに相当する。
【０１１８】
また、図９において、Ｓ４１０、Ｓ４２０、Ｓ４４０は機能選択表示処理に相当し、Ｓ４３０は複数登録時判断処理に相当し、Ｓ４５０〜Ｓ４９０は選択実行処理及び第１の選択実行処理に相当し、Ｓ５００及びＳ４７０はパーソナル実行処理に相当する。また、図１０において、ＳＳ６１０はパブリック判断処理に相当し、Ｓ６２０は単登録時判断処理に相当し、Ｓ６３０は処理選択表示処理に相当し、Ｓ６６０〜Ｓ６７０は第２の選択実行処理に相当し、Ｓ７４０は新規登録処理に相当する。また、図８において、Ｓ２２０はパブリックユーザ判断処理に相当し、Ｓ２３０〜Ｓ２４０はパブリック実行処理に相当する。
【０１１９】
［２．他の実施形態］
以上、本発明の実施形態について説明したが、本開示は上述の実施形態に限定されることなく、種々変形して実施することができる。
【０１２０】
例えば、図５に示した登録機能選択画面７０において、上記実施形態では、ログインユーザに対して制限されている機能はグレーアウトさせて選択できないように構成されているが、制限されている機能については他の表示態様を採用してもよい。
【０１２１】
例えば、制限されている機能についても制限されていない機能と同じように表示させ、制限されている機能が選択された場合に、その機能は登録できない旨をログインユーザに報知するようにしてもよい。また例えば、制限されている機能についてははじめから表示させないようにしてもよい。その際、例えば画面中の任意の位置に、機能制限によって選択できない機能があることや、その機能の名称などを適宜表示するようにしてもよい。
【０１２２】
また、上記実施形態では、第１キー２１〜第４キー２４の４つのキーが、それぞれ、シフトキー２５との組合せによって異なる２種類のワンタッチキーとして機能する構成であったが、第１ワンタッチキー〜第８ワンタッチキーに対してそれぞれ個別にキーが設けられていてもよい。
【０１２３】
また、ワンタッチキーの数が８個であることは一例であって、７個以下であってもよいし、９個以上であってもよい。また、１つのワンタッチキーに対して複数のパブリックワンタッチ機能を登録可能であってもよい。ログインユーザのパーソナルワンタッチ機能についても、１つのワンタッチキーに対して、同じログインユーザのパーソナルワンタッチ機能を複数登録可能であってもよい。
【０１２４】
図４〜図６に示した画面遷移例における各画面の表示内容は、あくまでも一例であって、目的とする内容が表示される限り他の種々の画像を採用してもよい。
また、画像処理装置１０は、本発明の機能実行装置の一例であり、複数の機能を実行可能に構成された各種の機能実行装置に対して本発明を適用可能である。
【０１２５】
その他、上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本開示の実施形態である。
【符号の説明】
【０１２６】
１…画像処理システム、７…タッチパネル、９…ワンタッチ入力部、１０…画像処理装置、１１…制御部、１２…記憶部、１３…入力部、１４…表示部、１５…通信部、１６…画像読取部、２１…第１キー、２２…第２キー、２３…第３キー、２４…第４キー、２５…シフトキー、３０…情報処理装置、４０…第１の待機画面、４６…第２の待機画面、４６ａ…ユーザモード表示画像、４９…機能呼出画面、５０，６５，８０…スタート画面、５１，６６，８１…スタートキー、５５…実行機能選択画面、５６…パーソナル指定キー、５７…パブリック指定キー、６０…登録・実行選択画面、６１…パーソナル登録キー、６２…パブリック指定キー、７０…登録機能選択画面、１００…インターネット。
【図１】
2018023032.tif 000003
【図２】
2018023032.tif 000004
【図３】
2018023032.tif 000005
【図４】
2018023032.tif 000006
【図５】
2018023032.tif 000007
【図６】
2018023032.tif 000008
【図７】
2018023032.tif 000009
【図８】
2018023032.tif 000010
【図９】
2018023032.tif 000011
【図１０】
2018023032.tif 000012